(57)【要約】      （修正有）【課題】蛍光管用コネクタにおける、蛍光管の振動異音の発生防止、及び蛍光管の着脱作業の効率化。【解決手段】導電性弾性部材から成り、蛍光管の導線を挟持し圧接する接点形成部２０を有する端子部材２と、端子部材２がその内部に嵌入されるベースハウジング４と、下方へ摺動させ接点形成部２０により蛍光管の導線を挟持し圧接するスライダーハウジング５と、要件(イ)〜(ハ)から成る。  (イ) 弾性部材により成形されベースハウジング４に内蔵され、スライダーハウジング５の摺動により弾性変形されるランプホルダー３を備える。  (ロ) スライダーハウジング５の下方への摺動終端において、スライダーハウジングをベースハウジング４に対するロック手段を備える。  (ハ) スライダーハウジング５を下方へ摺動させロックすることにより、ランプホルダー３を弾性変形させ蛍光管が抜け出さないよう保持する。【選択図】図２
2008027591.tif 000002
【特許請求の範囲】
【請求項１】
導電性弾性部材から成り、蛍光管の導線を挟持し圧接する接点形成部を有する端子部材と、
上記端子部材がその内部空間に嵌入されるベースハウジングと、
上記ベースハウジングに対して下方側へ摺動させることにより、上記端子部材の接点形成部によって蛍光管の導線を挟持し圧接するスライダーハウジングとから成る蛍光管用コネクタにおいて、
弾性部材により成形され上記ベースハウジングに内蔵されて、上記スライダーハウジングの摺動により弾性変形されるランプホルダーと、
上記スライダーハウジングの下方側への摺動終端において、該スライダーハウジングを上記ベースハウジングに対してロックするロック手段とを備え、
上記スライダーハウジングを下方側へ摺動させてロックすることにより、上記ランプホルダーを弾性変形させて蛍光管が抜け出さないように保持することを特徴とする蛍光管用コネクタ。
【請求項２】
上記ランプホルダーは、半円筒状受座と、該半円筒状受座の両側部から延びる一対の舌状片を有して成り、上記スライダーハウジングの下方側への摺動により該一対の舌状片を接近させることを特徴とする請求項１の蛍光管用コネクタ。
【請求項３】
上記スライダーハウジングが、上記ランプホルダーを弾性変形させる一対の楔片を備えていることを特徴とする請求項１又は請求項２の蛍光管用コネクタ。
【請求項４】
上記スライダーハウジングが上方側へ引き上げられたとき、該スライダーハウジングが上記ベースハウジングから抜け出すのを防止する抜止め手段を備えることを特徴とする請求項１〜請求項３のいずれかの蛍光管用コネクタ。
【請求項５】
上記接点形成部を有する端子部材、上記ベースハウジング、上記ランプホルダー、及び上記スライダーハウジングのそれぞれの上部が開放されており、蛍光管用コネクタに対して蛍光管を上方側から載置又は除去することができることを特徴とする請求項１〜請求項４のいずれかの蛍光管用コネクタ。
【請求項６】
請求項１〜請求項５のいずれかの蛍光管用コネクタの複数組を回路基板を介してパネル上に固定し、この複数組の蛍光管用コネクタに対してそれぞれ蛍光管を取り付ける蛍光管の取付方法において、
上記複数組の蛍光管用コネクタにそれぞれ蛍光管を載置した後、該複数組の蛍光管用コネクタのスライダーハウジングのうち、所定の範囲のスライダーハウジングを一括して下方側へ摺動させることを特徴とする蛍光管用コネクタへの蛍光管の取付方法。
【請求項７】
上記蛍光管用コネクタの上部と蛍光管の端部を保持するために上記パネルに装着されるホルダーを利用して、所定の範囲のスライダーハウジングを一括して下方側へ摺動させることを特徴とする請求項６の蛍光管用コネクタへの蛍光管の取付方法。
【発明の詳細な説明】
【技術分野】
【０００１】
本発明は、液晶画面のバックライトとして使用される蛍光管の導線（端子）を電気的に接続する蛍光管用コネクタ、及びこの蛍光管用コネクタへの蛍光管の取付方法に関する。
【背景技術】
【０００２】
液晶画面は、低消費電力、軽量、フラット構造等の特徴を備えているため、各種電子機器、例えばテレビジョン受像器、パーソナルコンピューター、及び携帯電話等に多く用いられている。この液晶画面には、バックライトとして蛍光管が不可欠であり、例えば、２.６〜５ｍｍ径のものが回路基板に沿って複数本並列に配設され、各蛍光管の導線（端子）は回路基板に接続されている。
このような蛍光管の導線と回路基板との接続は、従来では図１２に示すように、蛍光管６の導線６ａを端子線７１にハンダ付け７２した後、略Ｌ形のグロメット７３により蛍光管６の端部と端子線７１を覆う構成を備え、端子線７１の先端のコネクター７４を回路基板７のコネクター７５に接続する構成となっている。なお、符号７６は反射板である。
【０００３】
図１２に示すような液晶用のバックライトとして用いられる蛍光管６は、グロメット７３とコネクター７４付きの一つの蛍光管ユニットとして納品され、この蛍光管ユニットを受け取った者がコネクター７４を基板７のコネクター７５に差し込む作業をしている。このような蛍光管ユニットを製作する作業は、工数のいる煩雑な作業となっている。
この種の蛍光管６は、上記のように２．６〜５．０ｍｍ径を有しており、例えば１０〜１５本が近接して並設される。このため、各蛍光管６の導線６ａを端子線７１にハンダ付けする作業は限られた空間内の極めて細かな作業となり、難しいものとなっている。
【０００４】
また、上述の従来例とは別に、蛍光管６の導線６ａへのハンダ付け作業を必要としない蛍光管用コネクタが、特開２００５−１８３０１１号公報（液晶用バックライト接続装置：特許文献１）に記載されているように、既に提案されている。
上記特許文献１に記載されている従来の蛍光管用コネクタ８０について、図１３(ａ)〜(ｃ)を参照しながら説明する。図１３(ａ)は蛍光管用コネクタの縦断面図、(ｂ)は蛍光管用コネクタの端子部材の斜視図、(ｃ)は蛍光管用コネクタを使用する場合について説明する縦断面図である。
この蛍光管用コネクタ８０は、図１３(ａ),(ｂ)に示されているように、合成樹脂製ハウジング８１と、該ハウジング８１の中空部内に挿入され固定される端子部材８３と、該端子部材８３に対して回動自在な合成樹脂製アクチュエータ８２を有して成り、該端子部材８３の一対の脚片８４,８４を回路基板７の一対の孔８９,８９に挿入してハンダ付けすることにより、該回路基板７上に固定される。
【０００５】
上記アクチュエータ８２は、そのアーム部９０に設けたピン部９１を端子部材８３の一対の保持片８６,８６における各ピン孔９２,９２に挿入することにより、該端子部材８３とハウジング８１に対して、開状態（図１３(ａ)）と閉状態（図１３(ｃ)）との間で回動自在となっている。
上記蛍光管用コネクタ８０上に蛍光管６を載置すると、図１３(ａ)に示されるように、この蛍光管６の一端部がハウジング８１の受座８１ａに着座し、該蛍光管６の導線６ａは回路基板７の方向へ該ハウジング８１の中空部内に設けられた端子部材８３内を延在する。
【０００６】
このアクチュエータ８２のアーム部９０の先端にはカム壁９３が形成されている。このカム壁９３は、上記端子部材８３のカーブ部８８に対向しており、図１３(ａ)に示す開状態では該カーブ部８８の上方に位置している。該アクチュエータ８２が、ピン部９１を中心として図１３(ｃ)に示す閉状態へ回動すると、上記カム壁９３が該カーブ部８８を蛍光管６の導線６ａ方向に押し込み、上記端子部材８３の弾性片８７が導線６ａを本体８５に圧接させる。
このように、蛍光管用コネクタ８０上に蛍光管６を載置して、アクチュエータ８２を回動させて閉状態（図１３(ｃ)の状態）にすると、蛍光管６の導線６ａは端子部材８３と電気的に導通されると共に、該蛍光管６はハウジング８１の受座８１ａに押し付けられて、蛍光管用コネクタ８０上に取り付けることができる。
また、蛍光管６を上記蛍光管用コネクタ８０から取り外す時は、アクチュエータ８２を開状態（図１３(ａ)の状態）にすることにより、端子部材８３の弾性片８７による圧接が解除されるので、該蛍光管６を簡単に取り出すことが可能である。
【０００７】
このような蛍光管用コネクタ８０を液晶用バックライトの接続装置として使用する場合は、図１３(ｃ)に示されているように、該蛍光管用コネクタ８０が固定されている回路基板７を、反射板９を有するパネル１０に対して所定の間隔をあけて、例えばネジ等による固定手段９５,９５により固定する。このとき、該蛍光管用コネクタ８０の上側部分は、上記パネル１０に形成された開口１０ａを貫通して、該パネル１０の反射板９が設けられている側へ突出する。
上記のように、回路基板７がパネル１０に固定された蛍光管用コネクタ８０に対して、蛍光管６を取り付けるときは、上述したように、アクチュエータ８２を回動して開状態にした後、蛍光管６をハウジング８１の受座８１ａ上に載置して、さらに該アクチュエータ８２を逆方向に回動して閉状態にすればよい。
【０００８】
【特許文献１】特開２００５−１８３０１１号公報
【発明の開示】
【発明が解決しようとする課題】
【０００９】
上記特許文献１に記載された蛍光管用コネクタ８０では、蛍光管６が取り付けられてアクチュエータ８２が閉状態にあるときは、図１３(ｃ)に示されているように、該蛍光管６はアクチュエータ８２により受座８１ａに押し付けられ保持されているが、例えばスピーカー等の振動の影響を受けて不快な音（ビビリ音等）を発生するという問題がある。
また、この蛍光管用コネクタ８０は、図１３に示されるように、アクチュエータ８２を回動することにより、蛍光管６の取り付け又は取り外しを行うものであるから、取り付け作業効率が劣るばかりでなく、蛍光管６の取り付け又は取り外し作業の自動化が困難である。
【００１０】
そこで、本発明の課題は、上記従来技術の問題点を解決するために、蛍光管用コネクタにおいて、取り付けられた蛍光管が振動して不快な音を発生することがないように、また、蛍光管の取り付け又は取り外し作業を効率的に行うことができるように、蛍光管用コネクタを構成する各部材の構造を工夫することである。
さらに、各構成部材の構造が工夫された蛍光管用コネクタに対する蛍光管の取付方法を工夫することである。
【課題を解決するための手段】
【００１１】
(１) 本発明に係る蛍光管用コネクタ（請求項１に対応）は、導電性弾性部材から成り、蛍光管の導線を挟持し圧接する接点形成部を有する端子部材と、
上記端子部材がその内部空間に嵌入されるベースハウジングと、
上記ベースハウジングに対して下方側へ摺動させることにより、上記端子部材の接点形成部によって蛍光管の導線を挟持し圧接するスライダーハウジングとから成る蛍光管用コネクタを前提として、次の要件(イ)〜(ハ)から成るものである。
(イ) 弾性部材により成形され上記ベースハウジングに内蔵されて、上記スライダーハウジングの摺動により弾性変形されるランプホルダーを備えていること。
(ロ) 上記スライダーハウジングの下方側への摺動終端において、該スライダーハウジングを上記ベースハウジングに対してロックするロック手段を備えていること。
(ハ) 上記スライダーハウジングを下方側へ摺動させてロックすることにより、上記ランプホルダーを弾性変形させて蛍光管が抜け出さないように保持すること。
【００１２】
このように構成することによって、蛍光管用コネクタに蛍光管を載置すると、該蛍光管の円筒部分の端部はランプホルダー上に位置すると共に、同じく導線（端子）部分は端子部材の接点形成部中に位置することになる。このような状態で、スライダーハウジングがベースハウジングに対して下方側へ摺動されると、このスライダーハウジングの移動に応じて、該端子部材の接点形成部とランプホルダーは共に弾性変形される。該スライダーハウジングが摺動終端位置まで移動されると、ロック手段によりベースハウジングにロックされる。その結果、該蛍光管の導線部分は端子部材の接点形成部により挟持されて圧接され、同じく円筒部分の端部はランプホルダーにより蛍光管が抜け出さないように保持される。
また、上記ランプホルダーは弾性部材により成形されており、上記スライダーハウジングの移動によって弾性変形されると、蛍光管の端部の円筒部分を包み込むように保持する。これにより、蛍光管はスピーカー等の振動の影響を受けることなく、蛍光管用コネクタにより安定して確実に保持されることになる。
【００１３】
(２) また、上記蛍光管用コネクタにおいて、上記ランプホルダーは、半円筒状受座と、該半円筒状受座の両側部から延びる一対の舌状片を有して成り、上記スライダーハウジングの下方側への摺動により該一対の舌状片を接近させることができる。（請求項２に対応）
このような構成により、ランプホルダーの半円筒状受座に載置された蛍光管は、一対の舌状片により斜め上方の両側から包み込まれるので、簡単な形状のランプホルダーにより安定して効率よく蛍光管が抜け出さないように保持することができる。
【００１４】
(３) また、上記蛍光管用コネクタにおいて、上記スライダーハウジングが、上記ランプホルダーを弾性変形させる一対の楔片を備えることができる。（請求項３に対応）
このような構成により、スライダーハウジングに設けられた一対の楔片により、ランプホルダーの両側から押圧することができるので、該ランプホルダーを安定して効率よく弾性変形することにより、蛍光管が抜け出さないように保持することができる。
【００１５】
(４) また、上記蛍光管用コネクタにおいて、上記スライダーハウジングが上方側へ引き上げられたとき、該スライダーハウジングが上記ベースハウジングから抜け出すのを防止する抜止め手段を備えることができる。（請求項４に対応）
このような構成により、蛍光管用コネクタに取り付けた蛍光管を取り外すためにスライダーハウジングを引き上げるとき、抜止め手段の働きにより該スライダーハウジングが上記ベースハウジングから抜け出すのを防止することができる。
【００１６】
(５) また、上記蛍光管用コネクタにおいて、上記接点形成部を有する端子部材、上記ベースハウジング、上記ランプホルダー、及び上記スライダーハウジングのそれぞれの上部が開放されており、蛍光管用コネクタに対して蛍光管を上方側から載置又は除去することができる。（請求項５に対応）
このような構成により、蛍光管用コネクタの上部が常に開放された状態にあるので、該蛍光管用コネクタに対して蛍光管を取り付け又は取り外しするとき、蛍光管の軸方向（蛍光管用コネクタの外側又は内側方向）へくぐらせる必要がなく、蛍光管を上方側から容易に出し入れすることが可能であり、このような蛍光管の取り付け又は取り外し作業の自動化を容易に実行することができる。
【００１７】
(６) 本発明に係る蛍光管用コネクタへの蛍光管の取付方法（請求項６に対応）は、上記いずれかの蛍光管用コネクタの複数組を回路基板を介してパネル上に固定し、この複数組の蛍光管用コネクタに対してそれぞれ蛍光管を取り付ける蛍光管の取付方法を前提として、次の要件(ニ)から成るものである。
(ニ) 上記複数組の蛍光管用コネクタにそれぞれ蛍光管を載置した後、該複数組の蛍光管用コネクタのスライダーハウジングのうち、所定の範囲のスライダーハウジングを一括して下方側へ摺動させること。
このように構成することにより、複数の蛍光管用コネクタのスライダーハウジングを一度にまとめて押し下げることができるので、蛍光管の取り付け作業を省力化することが可能である。
【００１８】
(７) また、上記蛍光管の取付方法において、上記蛍光管用コネクタの上部と蛍光管の端部を保持するために上記パネルに装着されるホルダーを利用して、所定の範囲のスライダーハウジングを一括して下方側へ摺動させることができる。（請求項７に対応）
このような構成により、ホルダーによって複数の蛍光管用コネクタのスライダーハウジングを一括して押し下げた後、該ホルダーをパネルに固定することができるので、通常の取り付け作業と同様に実行することが可能である。
【発明の効果】
【００１９】
本発明の効果を請求項に従って整理すると、次のとおりである。
(１) 請求項１に係る発明
スライダーハウジングが摺動終端位置まで移動されベースハウジングに対してロックされる過程において、端子部材の接点形成部とランプホルダーは共に弾性変形されることにより、蛍光管の導線部分は端子部材の接点形成部により挟持されて圧接され、同じく円筒部分の端部はランプホルダーにより蛍光管が抜け出さないように保持される。これにより、蛍光管は蛍光管用コネクタに対して確実に安定して保持されるので、蛍光管が簡単に外れることはない。また、スピーカー等の振動の影響を受けることなく、ビビリ音等の不快な音の発生を防止することができる。
(２) 請求項２に係る発明
ランプホルダーの半円筒状受座に載置された蛍光管を一対の舌状片により包み込むことができるので、蛍光管が抜け出さないように安定して確実に保持することができるばかりでなく、スピーカー等の振動の影響を効率よく防止することができる。
【００２０】
(３) 請求項３に係る発明
スライダーハウジングの一対の楔片によりランプホルダーの両側を押圧することができるので、該ランプホルダーを安定して効率的に弾性変形させることができ、蛍光管が抜け出さないように保持することができる。
(４) 請求項４に係る発明
蛍光管用コネクタに取り付けられた蛍光管を取り外すためにスライダーハウジングを引き上げるとき、抜止め手段の働きにより該スライダーハウジングが上記ベースハウジングから抜け出すのを防止することができるので、蛍光管の取り外し作業を効率的に確実に実行することが可能である。
【００２１】
(５) 請求項５に係る発明
蛍光管用コネクタに対して蛍光管を取り付け又は取り外しをするとき、該蛍光管を上方側から容易に出し入れすることができるので、このような蛍光管の取り付け又は取り外し作業の自動化を容易に実行することができる。
(６) 請求項６及び請求項７に係る発明
複数の蛍光管用コネクタのハウジングを一度にまとめて押し下げることができるので、蛍光管の取り付け作業を省力化して効率的に行うことが可能である。また、蛍光管の取り付け作業の自動化を容易に実現することも可能である。
【発明を実施するための最良の形態】
【００２２】
本発明の実施例による蛍光管用コネクタ１について、図１〜図１１を参照しながら説明する。図１は蛍光管用コネクタの全体斜視図、図２は蛍光管用コネクタの分解斜視図、図３は端子部材の斜視図、図４はランプホルダーの斜視図、図５はベースハウジングの斜視図、図６はスライダーハウジングの斜視図、図７−１〜図９はスライダーハウジングの動作説明図、図１０は蛍光管用コネクタと回路基板とパネルとの関係を説明する斜視図、図１１は蛍光管の取り付け作業についての説明図である。
【００２３】
本実施例の蛍光管用コネクタ１は、図１及び図２に示されているように、ベースハウジング４と、このベースハウジング４の中空部内に下方側から嵌入される端子部材２及びランプホルダー３と、該ベースハウジング４に上方側から嵌入されるスライダーハウジング５から構成されるものであり、従来例と同様に、回路基板（実装基板）７上に半田付けにより固定（実装）されると共に、この回路基板７は反射板９を有するパネル１０に対して固定手段により固定されるものである。
なお、この明細書での「蛍光管用コネクタ」の説明において、説明の便宜上、図面におけるＸ方向及びその反対方向を幅方向又は側方（側方向）、Ｙ方向及びその反対方向を内（内側、内方）及び外（外側、外方）、またＺ方向及びその反対方向を上（上側、上方、高さ方向）及び下(下側、下方）と呼ぶこととする。この呼び方は、特許請求の範囲においても同様である。
【００２４】
〔端子部材２の構成〕
上記端子部材２は導電性弾性部材で一体に製作されており、図３に示されているように、本体部分１１と、この本体部分１１の下側で直角方向に延びる固定片１２と、該本体部分１１の上側で上方に延びる接点形成部２０とから成り、側面視略Ｌ字形状のものである。
上記本体部分１１の両側には、一対の位置決め片１５ａ,１５ｂと圧入片１３ａ,１３ｂが設けられている。この一対の位置決め片１５ａ,１５ｂは、端子部材２がベースハウジング４内に嵌入されたとき、該端子部材２のベースハウジング４に対する位置決めをする部分であり、上記圧入片１３ａ,１３ｂは、同じく端子部材２がベースハウジング４内に嵌入されたとき、該ベースハウジング４の圧入部へ圧入され該端子部材２とベースハウジング４とを結合する部分である。
また、上記固定片１２は、蛍光管用コネクタ１を回路基板（実装基板）７に固定するとき、この回路基板７に半田付けされる部分である。
【００２５】
上記端子部材２の接点形成部２０は、幅方向内側において上方へ略直線状に延びる一対の圧接片１７ａ,１７ｂと、幅方向外側において上方へ略直線状に延びて、最上部が幅方向へ拡がり且つ外側方向への厚みを持つ加圧部１９ａ,１９ｂとなる一対の加圧片１８ａ,１８ｂと、上記一対の圧接片１７ａ,１７ｂ及び加圧片１８ａ,１８ｂを上記本体部分１１に連結する一対の略Ｓ字状の湾曲ばね部１６ａ,１６ｂとを備えている。
上記一対の圧接片１７ａ,１７ｂと加圧片１８ａ,１８ｂは、幅方向の一方側の圧接片１７ａと加圧片１８ａにより略Ｕ字形状を成し、該圧接片１７ａの下部において上記一方側の湾曲ばね部１６ａに連結されている。また、幅方向の他方側の圧接片１７ｂと加圧片１８ｂについても同様に略Ｕ字形状を成しており、該圧接片１７ｂの下部において上記湾曲ばね部１６ｂに連結されている。
【００２６】
このような構成を有する端子部材２の接点形成部２０は、蛍光管６の導線６ａを一対の圧接片１７ａ,１７ｂの間に挟持し圧接するものであるが、上記一対の加圧部１９ａ,１９ｂに対して幅方向内側への押圧力が付与されると、上記一対の加圧片１８ａ,１８ｂと一対の湾曲ばね部１６ａ,１６ｂが弾性変形され、上記一対の圧接片１７ａ,１７ｂに対して弾性力（ばね力）が与えられて、該一対の圧接片１７ａ,１７ｂを互いに接近させることができる。
本実施例における端子部材２の接点形成部２０は、図３に示されているような形状を有するものとして説明しているが、この接点形成部２０はこのような形状に限定されるものではなく、一対の圧接片を備えて成り、この一対の圧接片に押圧力が付与されたとき、該一対の圧接片を互いに接近させる構成であれば、いかなる形状であっても本発明の範囲に含まれるものである。
【００２７】
〔ランプホルダー３の構成〕
ランプホルダー３はシリコンゴム製で一体に成形されており、図４に示されているように、両側方部の一対の側方凸条２５ａ,２５ｂと、この一対の側方凸条２５ａ,２５ｂの外方に設けられ該側方凸条２５ａ,２５ｂより少し幅の狭い一対の側壁面２７ａ,２７ｂと、幅方向中央の上側に設けられ蛍光管の円筒部分を保持する半円筒状受座２３とを備えて成る。上記一対の側方凸条２５ａ,２５ｂの上端にはそれぞれ肩部２６ａ,２６ｂが設けられ、上記半円筒状受座２３の両側部には、弾性変形可能な一対の舌状片２４ａ,２４ｂが上方へ延びるように設けられている。また、上記半円筒状受座２３の内方側には、該半円筒状受座２３の縁部に沿ってリップ部２８が設けられている。このようなリップ部２８は、該半円筒状受座２３の内方側と外方側の両方に設けることも可能である（図７−２(ｃ)のランプホルダー３の一対のリップ部２８,２８’を参照）。
【００２８】
このランプホルダー３の一対の側方凸条２５ａ,２５ｂと肩部２６ａ,２６ｂは、該ランプホルダー３がベースハウジング４内に嵌入されるとき、該ベースハウジング４に開けられた縦長開口（図５(ａ)の符号４２ａ,４２ｂの部分）により案内され位置決めをする部分であり、上記一対の側壁面２７ａ,２７ｂは、該ベースハウジング４の内壁に対して摺動接触して、該ランプホルダー３をベースハウジング４内に保持する部分である。また、上記半円形状のリップ部２８は、該ベースハウジング４に設けた半円筒状凹部（図５(ａ)の符号３７の部分）の縁部に係合される部分である。
このように構成されたランプホルダー３は、半円筒状受座２３の上部が開放されており、該半円筒状受座２３上に載置される蛍光管をランプホルダー３の上方側から受け入れることができる。
【００２９】
〔ベースハウジング４の構成〕
ベースハウジング４は合成樹脂で一体に成形されており、図５に示されているように、下側両側方部に一対の台座３１ａ,３１ｂを備え、この一対の台座３１ａ,３１ｂ上の内外方両側と幅方向両側にそれぞれ壁部を備えて成る。このベースハウジング４は、その内方側部分にあって、蛍光管６を保持するためのランプホルダー３を嵌入する第１領域〔Ｉ〕と、中央部分にあって端子部材２が嵌入されると共に、蛍光管６の導線６ａを挟持し圧接する第２領域〔II〕と、外方側部分にあって蛍光管６の導線６ａ受け入れると共に、上記スライダーハウジング５の移動位置を規制する第３領域〔III〕とから成っている。
【００３０】
上記ベースハウジング４の第１領域〔Ｉ〕には、内方壁３４と中間壁４７と一対の内方側壁３２ａ,３２ｂによって囲まれた内方中空部４１が設けられている。該一対の内方側壁３２ａ,３２ｂには、それぞれ内方縦長開口４２ａ,４２ｂが開けられており、該内方壁３４と中間壁４７の上部には各々半円筒状凹部３７,３７’が設けられている。また、該内方壁３４の下方側には開口部４４が設けられている。
上記内方中空部４１内には下方側からランプホルダー３が嵌入され、このランプホルダー３の一対の側方凸条２５ａ,２５ｂは上記一対の内方縦長開口４２ａ,４２ｂによって案内される。
【００３１】
上記ベースハウジング４の第２領域〔II〕には、上記中間壁４７と一対の外方側壁３３ａ,３３ｂと外方壁３５によって囲まれた中央中空部３８が形成され、この中央中空部３８の下側には端子固定用開口４０が形成されている。上記中央中空部３８と端子固定用開口４０は連通しており、上記端子部材２の接点形成部２０と本体部分１１が下方側から嵌入される。該端子固定用開口４０には、上記端子部材２の一対の位置決め片１５ａ,１５ｂを保持する保持部と、一対の圧入片１３ａ,１３ｂが圧入される圧入部が形成されている。
上記一対の外方側壁３３ａ,３３ｂと上記第１領域〔Ｉ〕の一対の内方側壁３２ａ,３２ｂとは、幅方向にずらされており、該一対の内方側壁３２ａ,３２ｂが幅方向内側に位置している。
【００３２】
上記ベースハウジング４の第３領域〔III〕には、上記一対の外方側壁３３ａ,３３ｂと外方壁３５との間に空間が形成されている。この一対の外方側壁３３ａ,３３ｂには、それぞれ外方縦長開口４３ａ,４３ｂが形成されており、この一対の外方縦長開口４３ａ,４３ｂの下方部分は凹溝４３ａ’,４３ｂ’になっている。上記外方壁３５の上部内側には矩形状凹部３９が形成され、該外方壁３５の両側面にはそれぞれガイド溝４５ａ,４５ｂが形成されている。また、該外方壁３５の下側には補助金具４６が圧入されている。
上記一対の外方側壁３３ａ,３３ｂの外方縦長開口４３ａ,４３ｂと、上記外方壁３５の一対のガイド溝４５ａ,４５ｂは、スライダーハウジング５の移動位置を規制する部分であり、上記外方壁３５の矩形状凹部３９は蛍光管の導線６ａの端部を受け入れる部分である。
このように構成されたベースハウジング４は、上記第１〜第３の領域〔Ｉ〕〜〔III〕において上部が開放されており、蛍光管を上方側から受け入れることができる構成に成っている。
【００３３】
〔スライダーハウジング５の構成〕
上記スライダーハウジング５は合成樹脂で一体に成形されており、図６に示されているように、それぞれ段部５３ａ,５３ｂを備える一対のガイド用側壁５１ａ,５１ｂと、この一対のガイド用側壁５１ａ,５１ｂに連続して形成され、内部に端子押圧開口５５を有する端部壁５２と、この端部壁５２の下部に連続して形成される一対のロックアーム５６ａ,５６ｂ及び抜止めアーム５７ａ,５７ｂとを備えて成る。
上記一対のロックアーム５６ａ,５６ｂ及び抜止めアーム５７ａ,５７ｂにうち、幅方向一側のロックアーム５６ａと抜止めアーム５７ａは略Ｕ字状に形成され、上記端部壁５２との間には、下部の連続部分を除いてスリット５９ａが形成されている。また、幅方向他側のロックアーム５６ｂと抜止めアーム５７ｂについても同様に略Ｕ字状に形成されており、この場合のスリットは５９ｂである。
上記一対のガイド用側壁５１ａ,５１ｂは、上記ベースハウジング４の一対の内方側壁３２ａ,３２ｂと外方側壁３３ａ,３３ｂとの間に嵌入され、該スライダーハウジング５をベースハウジング４に対して上下方向に摺動自在に案内する。
【００３４】
このスライダーハウジング５は、その内側部分にあって、ランプホルダー３により蛍光管６の端部を保持する第１領域〔ｉ〕と、中央部分にあって端子部材２の接点形成部２０を動作（弾性変形）させる第２領域〔ii〕と、外側部分にあってこのスライダーハウジング５の移動位置を上方位置（開状態）と下方位置（ロック状態）の間で規制する第３領域〔iii〕とから成っている。
上記スライダーハウジング５の第１領域〔ｉ〕には、一対の楔片５４ａ,５４ｂが形成されており、この楔片５４ａ,５４ｂは該スライダーハウジング５が下方位置に移動されたとき、上記ベースハウジング４内に嵌入されたランプホルダー３の一対の舌状片２４ａ,２４ｂを押圧して弾性変形させる。
【００３５】
上記スライダーハウジング５の第２領域〔ii〕には、上述のように端子押圧開口５５を有する端部壁５２が形成されており、この端子押圧開口５５は上記端子部材２の本体部分１１と接点形成部２０が嵌入される開口であり、その幅方向両側の内側壁には一対のカム部６３ａ,６３ｂが形成されている（図７−１(ｃ)を参照）。この一対のカム部６３ａ,６３ｂは、該スライダーハウジング５が下方位置に移動されたとき、上記接点形成部２０の一対の加圧部１９ａ,１９ｂを幅方向内側へ押圧する。
【００３６】
上記スライダーハウジング５の第３領域〔iii〕には、上述のように略Ｕ字状に形成された幅方向一側のロックアーム５６ａと抜止めアーム５７ａ、及び幅方向他側のロックアーム５６ｂと抜止めアーム５７ｂをそれぞれ備えており、これらの各アーム５６ａ,５６ｂ,５７ａ,５７ｂは幅方向に弾力性を有している。上記一対のロックアーム５６ａ,５６ｂの上部には、それぞれプルタブ５８ａ,５８ｂが形成され、同じく幅方向外側の各表面にはそれぞれロック用突起６１ａ,６１ｂが形成されている。また、上記一対の抜止めアーム５７ａ,５７ｂの幅方向内側の各表面には、抜止め用突起６２ａ,６２ｂが形成されている。これらの各突起６１ａ,６１ｂ,６２ａ,６２ｂは、上側面が各アーム５６ａ,５６ｂ,５７ａ,５７ｂに対して垂直な面であり、下側面が傾斜面と成っている。
上記一対のロックアーム５６ａ,５６ｂに形成されたロック用突起６１ａ,６１ｂは、上記ベースハウジング４の一対の外方側壁３３ａ,３３ｂにおける外方縦長開口４３ａ,４３ｂに係合可能であり（ロック手段）、また、上記一対の抜止めアーム５７ａ,５７ｂに形成された抜止め用突起６２ａ,６２ｂは、上記ベースハウジング４の外方壁３５における一対のガイド溝４５ａ,４５ｂに係合可能である（抜止め手段）。
このように構成されたスライダーハウジング５は、上記第１〜第３の領域〔ｉ〕〜〔iii〕において上部が開放されており、蛍光管を上方側から受け入れることができる構成に成っている。
【００３７】
〔蛍光管用コネクタ１の組み立て〕
上述のような構成を有する端子部材２、ランプホルダー３、ベースハウジング４、及びスライダーハウジング５から成る蛍光管用コネクタ１は、次のようにして組み立てられる。図２に示されている分解斜視図、図３〜図６に示されている各構成部品等を参照しながら説明する。
(１) 先ず、ベースハウジング４の内方中空部４１（図５を参照）にランプホルダー３が下方側から嵌入されると、該ランプホルダー３の一対の側方凸条２５ａ,２５ｂは、ベースハウジング４における一対の内方側壁３２ａ,３２ｂの各内方縦長開口４２ａ,４２ｂによってガイドされ、その一対の肩部２６ａ,２６ｂが該内方縦長開口４２ａ,４２ｂの上端に突き当たり位置決めされる。このとき、該ランプホルダー３の半円形状のリップ部２８は弾性復元力により復元して、図７−２(ｂ)に示されているように、内方壁３４の半円筒状凹部３７の縁部に係合し、該ランプホルダー３をその位置に保持する。
図４に示すランプホルダー３は、半円形状のリップ部２８が一方側（内側）にのみ形成されているものであるが、該半円形状のリップ部２８を両側（内側と外側）に形成することも可能である。この場合は、図７−２(ｃ)に示されるように、外側の半円形状のリップ部２８’は、中間壁４７の半円筒状凹部３７’の縁部に係合することになる。
【００３８】
(２) 次に、ベースハウジング４の端子固定用開口４０（図５(ｂ)を参照）に端子部材２が下方側から嵌入されと、該端子部材２における本体部分１１の一対の位置決め片１５ａ,１５ｂは、該端子部材２を端子固定用開口４０内で所定の位置に位置決めする。また、同じく本体部分１１の一対の圧入片１３ａ,１３ｂは、該端子固定用開口４０内の圧入部に圧入されることにより、該端子部材２をベースハウジング４に対して結合する。このとき、該端子部材２の接点形成部２０は、該ベースハウジング４の中央中空部３８（図５(ａ)を参照）内に位置し、同じく固定片１２は一対の台座３１ａ,３１ｂの間で該ベースハウジング４の底面に接触することになる。
【００３９】
(３) 最後に、ベースハウジング４の上方側からスライダーハウジング５が嵌入されると、該スライダーハウジング５の一対の段部５３ａ,５３ｂ付きガイド用側壁５１ａ,５１ｂは、該ベースハウジング４の一対の内方側壁３２ａ,３２ｂと外方側壁３３ａ,３３ｂにより案内される。このように該スライダーハウジング５は案内されながら下方へ移動され、このスライダーハウジング５に形成された端子押圧開口５５内に、上記端子部材２の上側部分（ベースハウジング４の中央中空部３８内に位置する接点形成部２０と本体部分１１の一部）を嵌入させる。さらに、このスライダーハウジング５を下方へ移動すると、該スライダーハウジング５の一対の抜け止めアーム５７ａ,５７ｂにおける各抜け止め突起６２ａ,６２ｂが、上記ベースハウジング４の外方壁３５の両側面における一対のガイド溝４５ａ,４５ｂの上端部に係合すると共に、同じくスライダーハウジング５の一対のロックアーム５６ａ,５６ｂにおける各ロック用突起６１ａ,６１ｂが、上記ベースハウジング４の一対の外方側壁３３ａ,３３ｂの上端縁に接触するとき（図７−１(ａ),(ｄ)を参照）、このスライダーハウジング５の下方への移動を停止する。
このようにして蛍光管用コネクタ１の組み立てが完了する（図１、図７−１及び図７−２を参照）。なお、補助金具４６は、図５(ｂ)及び図７−２(ｂ)等に示されるように、上記ベースハウジング４の外方壁３５の底部分に圧入されることにより、該ベースハウジング４に結合される。
【００４０】
〔組み立てが完了した蛍光管用コネクタ１〕
このようにして組み立てが完了した蛍光管用コネクタ１においては、スライダーハウジング５は、図１、図７−１及び図７−２に示されているように、一対の抜け止め突起６２ａ,６２ｂがベースハウジング４の一対のガイド溝４５ａ,４５ｂの最上部に係合し、且つ一対のロック用突起６１ａ,６１ｂが該ベースハウジング４の一対の外方側壁３３ａ,３３ｂの上端縁に接触する上方位置（開状態）にある。
【００４１】
このような上方位置では、該スライダーハウジング５における端子押圧開口５５内の一対のカム部６３ａ,６３ｂは、上記接点形成部２０の一対の加圧部１９ａ,１９ｂの上側に位置し、この一対の加圧部１９ａ,１９ｂを押圧することはないので、該接点形成部２０はそれ自体の弾性復元力により開状態（一対の圧接片１７ａ,１７ｂが離れた状態）にある（図７−１(ｃ)を参照）。また、上記スライダーハウジング５の一対のガイド用側壁５１ａ,５１ｂにおける各楔片５４ａ,５４ｂは、ランプホルダー３の一対の舌状片２４ａ,２４ｂの上側に位置し、この舌状片２４ａ,２４ｂを押圧することはないので、該舌状片２４ａ,２４ｂはそれ自体の弾性復元力により上方が開いた状態にある（図７−２(ａ)を参照）。
このように、上記スライダーハウジング５が上方位置にある場合には、その自重によって下方位置（閉状態、ロック状態）に下がらないように、該スライダーハウジング５の一対のロック用突起６１ａ,６１ｂとベースハウジング４の一対の外方側壁３３ａ,３３ｂとの摩擦力や、該スライダーハウジング５の一対のカム部６３ａ,６３ｂと上記端子部材２の一対の加圧部１９ａ,１９ｂとの摩擦力等によって保持されている。
【００４２】
〔蛍光管用コネクタ１の回路基板７とパネル１０への固定〕
このような蛍光管用コネクタ１を回路基板（実装基板）７や反射板９を備えるパネル１０に固定する場合は、図１０(ａ)〜(ｃ)に示されているように、先ず、回路基板７に開けられた基板貫通孔７ａに対して蛍光管用コネクタ１を挿入（実装）する。このとき、蛍光管用コネクタ１はスライダーハウジング５側を先頭にして該回路基板７の実装面側から挿入され（図１０(ａ)を参照）、一対の台座３１ａ,３１ｂ、端子部材２の固定片１２及び補助金具４６のそれぞれの上側面（図１０(ａ)の回路基板側の面）は、上記基板貫通孔７ａの外周部の実装面に接する（図１０(ｂ)を参照）。
上記蛍光管用コネクタ１を回路基板７の基板貫通孔７ａに挿入するとき、端子部材２の固定片１２の下側面（図１０(ａ)において見えている面）を吸着面として利用することができる。この固定片１２の下側面は平面であるため、吸着面として利用するには好都合である。
【００４３】
次に、端子部材２の固定片１２と補助金具４６を回路基板７の実装面に半田付けして、該回路基板７上に蛍光管用コネクタ１を固定する（図１０(ｃ)を参照）。これにより、蛍光管用コネクタ１内に嵌入されている端子部材２は、該回路基板７に対して電気的に導通される。
このようにして、回路基板７上に固定された蛍光管用コネクタ１は、さらに反射板９を備えるパネル１０に対して固定される（図１０(ｄ)を参照）。このパネル１０に対する蛍光管用コネクタ１の固定の仕方は、図１３(ｃ)に示されている従来例の場合と同様であって、該回路基板７がパネル１０の反射板９の設けられてない側に対して、例えばネジ等の固定手段によって固定される。このとき、蛍光管用コネクタ１の略上半分は、該パネル１０に形成されたパネル貫通孔１０ａを貫通して、該パネル１０の反射板９が設けられている側へ突出している。
【００４４】
〔蛍光管６の取り付け作業〕
このようにしてパネル１０に固定された蛍光管用コネクタ１に対して、蛍光管６を取り付ける場合について、図７−１〜図１１を参照しながら説明する。
先ず、スライダーハウジング５が上方位置（開状態）にある蛍光管用コネクタ１に対して、上方側から蛍光管６を載置する（図９(ａ)、図１０(ｄ)及び図１１(ａ)を参照）。このとき、蛍光管６の円筒部分は、ベースハウジング４内に嵌入されたランプホルダー３の半円筒状受座２３上に載置される。また、該蛍光管６の導線（端子）６ａは、端子部材２における接点形成部２０の一対の圧接片１７ａ,１７ｂ間に位置すると共に、該ベースハウジング４の外方壁３５の矩形凹部３９内にも位置する（図１１(ａ)を参照）。
このように、上記蛍光管用コネクタ１上に蛍光管６を載置する場合、蛍光管用コネクタ１は、図７−２(ａ),(ｂ)に示されているように、その上部が開放されており、蛍光管６を上方側から載置するとき妨げになるものは何もないので、取り付け作業を容易に実行することができる。
【００４５】
次に、図８に示されているように、上方位置（開状態）にあるスライダーハウジング５を押し下げると、このスライダーハウジング５の一対のロックアーム５６ａ,５６ｂは、それ自体の弾性により幅方向内側に撓むことができるので、該ロックアーム５６ａ,５６ｂのロック用突起６１ａ,６１ｂは、ベースハウジング４の一対の外方側壁３３ａ,３３ｂの上端縁を乗り越えて、図８(ｃ)に示すように、外方縦長開口４３ａ,４３ｂ内に落ち込みその上端縁によってロックされる。これにより、該スライダーハウジング５は下方位置（閉状態、ロック状態）となる。
【００４６】
このとき、スライダーハウジング５はベースハウジング４に対して下方側に移動するので、該スライダーハウジング５の端子押圧開口５５における一対のカム部６３ａ,６３ｂは、図８(ｂ)の矢印で示されているように、上記端子部材２の一対の加圧片１８ａ,１８ｂにおける加圧部１９ａ,１９ｂを幅方向内方へ押圧する。これにより、該一対の加圧片１８ａ,１８ｂと一対の湾曲ばね部１６ａ,１６ｂを弾性変形させて、一対の圧接片１７ａ,１７ｂに対して弾性力（ばね力）を付与することにより、該一対の圧接片１７ａ,１７ｂを互いに接近させる。その結果、蛍光管６の導線６ａは、該一対の圧接片１７ａ,１７ｂによって挟持され圧接されるので、該蛍光管の導線６ａは端子部材２に対して電気的に確実に導通される。
【００４７】
また、スライダーハウジング５がベースハウジング４に対して下方側に移動することにより、該スライダーハウジング５の一対のガイド用側壁５１ａ,５１ｂにおける各楔片５４ａ,５４ｂは、図９(ｃ)に示されているように、ランプホルダー３の一対の舌状片２４ａ,２４ｂを押圧して弾性変形させることにより、該ランプホルダー３によって蛍光管６の端部付近の円筒部分を包み込むように保持することができる。その結果、蛍光管６はシリコンゴム等の弾性部材から成るランプホルダー３を介在して蛍光管用コネクタ１に取り付けられることになるので、スピーカー等の振動に影響を受けることなく安定した状態で保持することが可能である。また、運搬時等に発生する衝撃や振動に対しても、蛍光管を確実に保持することが可能である。
【００４８】
また、パネル１０上に蛍光管６を配設する場合、通常では、パネル１０上に回路基板７を介して固定された多数組の蛍光管用コネクタ１,１…に対して、多数本の蛍光管６,６…を取り付けることが殆どである。このような場合に、上記スライダーハウジング５を押し下げるとき、多数の蛍光管用コネクタのスライダーハウジング５,５…についてそれぞれ個別に行っても良いが、相互に隣接する複数のスライダーハウジング５,５…を一度にまとめて押し下げることもできる。これは、図１１に示されているように、ホルダー８を用いて押し下げることにより効率的に行うことが可能である。このホルダー８は、最終的にはパネル１０上に装着されて、複数本の蛍光管６,６…の端部と複数の蛍光管用コネクタ１,１…の上部を保持するものである（図１１(ｂ)を参照）。
【００４９】
〔蛍光管６の取り外し作業〕
次に、蛍光管６の取り外し作業について、図７−１〜図９を参照しながら説明する。
蛍光管用コネクタ１から蛍光管６を取り外す場合には、上記スライダーハウジング５の一対のロックアーム５６ａ,５６ｂの上端部に設けられた各プルタブ５８ａ,５８ｂに対して、図８(ｃ)の矢印で示すように、幅方向内側への力を加えながら、該プルタブ５８ａ,５８ｂを引き上げる。そうすると、この一対のロックアーム５６ａ,５６ｂはそれ自体の弾性により撓んで、一対のロック用突起６１ａ,６１ｂが一対の外方縦長開口４３ａ,４３ｂから脱出することによりロックが解除されて、該スライダーハウジング５を上方位置（開状態）へ移動することができる。
このとき、一対の抜止めアーム５７ａ,５７ｂの各抜止め突起６２ａ,６２ｂは、ベースハウジング４の外方壁３５における一対のガイド溝４５ａ,４５ｂの上端部に係止することになり（図７−１(ｄ)を参照）、スライダーハウジング５の上方への移動が停止されるので、該スライダーハウジング５はベースハウジング４から脱出することはない。
【００５０】
このようにして、スライダーハウジング５が上方位置へ移動されると、端子押圧開口５５内の一対のカム部６３ａ,６３ｂも上方へ移動され、端子部材２の一対の加圧片１８ａ,１８ｂの加圧部１９ａ,１９ｂに付与されていた押圧力が解除される（図７−１(ｃ)を参照）。これにより、該端子部材２の接点形成部２０はそれ自体の弾性復元力によって元の形状に戻り、蛍光管６の導線６ａを挟持し圧接していた一対の圧接片１７ａ,１７ｂの押圧力は開放される。
また、スライダーハウジング５が上方位置へ移動されると、一対のガイド用側壁５１ａ,５１ｂの各楔片５４ａ,５４ｂも上方へ移動されるので、ランプホルダー３の一対の舌状片２４ａ,２４ｂに付与されていた押圧力が解除される。これにより、該ランプホルダー３はそれ自体の弾性復元力によって元の形状に戻り、該ランプホルダー３の上部は開放される（図７−２(ａ)及び図９(ａ),(ｂ)を参照）。
その結果、蛍光管６はそれを持ち上げるだけで、蛍光管用コネクタ１から簡単に取り外すことができる。
【図面の簡単な説明】
【００５１】
【図１】は、本発明の実施例による蛍光管用コネクタの斜視図であり、(ａ)は内側上方から視た図、(ｂ)は外側下方から視た図である。
【図２】は、同じく蛍光管用コネクタの分解斜視図である。
【図３】は、同じく蛍光管用コネクタの端子部材の斜視図である。
【図４】は、同じく蛍光管用コネクタのランプホルダーの斜視図であり、(ａ)は内側上方から視た図、(ｂ)は外側下方から視た図である。
【図５】は、同じく蛍光管用コネクタのベースハウジングの斜視図であり、(ａ)は内側上方から視た図、(ｂ)は外側下方から視た図である。
【図６】は、同じく蛍光管用コネクタのスライダーハウジングの斜視図であり、(ａ)は内側上方から視た図、(ｂ)は外側下方から視た図である。
【図７−１】は、同じく蛍光管用コネクタにおいて、スライダーハウジングが開状態の場合の説明図であり、(ａ)は側面図、(ｂ)は平面図、(ｃ)は(ａ)のＣ１−Ｃ１断面図、(ｄ)は(ａ)のＤ−Ｄ断面図である。
【図７−２】は、同じく蛍光管用コネクタにおいて、スライダーハウジングが開状態の場合の説明図であり、(ａ)は内側からみた正面図、(ｂ)は(ａ)のＢ１−Ｂ１断面図、(ｃ)はリップ部を両側に備えるランプホルダーを用いた場合の部分拡大図である。
【図８】は、同じく蛍光管用コネクタにおいて、スライダーハウジングが閉状態（ロック状態）の場合の説明図であり、(ａ)は側面図、(ｂ)は(ａ)のＢ２−Ｂ２断面図、(ｃ)は(ａ)のＣ２−Ｃ２断面図である。
【図９】は、同じく蛍光管用コネクタにおいて、ランプホルダーの機能に関する説明図であり、(ａ)及び(ｂ)はスライダーハウジングが開状態の場合の内側から視た斜視図及び正面図、(ｃ)はスライダーハウジングが閉状態（ロック状態）の場合の内側から視た正面図である。
【図１０】は、同じく蛍光管用コネクタにおいて、該蛍光管用コネクタと回路基板とパネルとの関係を説明する斜視図であり、(ａ)〜(ｃ)は蛍光管用コネクタを回路基板に固定する場合の説明図、(ｄ)は回路基板をさらにパネルに固定する場合の説明図である。
【図１１】は、回路基板を介してパネルに固定された蛍光管用コネクタに対して、蛍光管を取り付ける作業についての説明図（回路基板をパネルに固定する固定手段は省略）であり、(ａ)はスライダーハウジングを閉状態にする前の縦断面図、(ｂ)はスライダーハウジングを閉状態にした場合の縦断面図である。
【図１２】は、従来の蛍光管の導線部分の接続について説明する縦断面図である。
【図１３】は、従来の蛍光管用コネクタの説明図であり、(ａ)はアクチュエータが開状態であって蛍光管が載置された場合の縦断面図、(ｂ)は蛍光管が取り付けられた状態の端子部材の斜視図、(ｃ)は蛍光管用コネクタを使用する場合の説明図であり、アクチュエータが閉状態の縦断面図である。
【符号の説明】
【００５２】
１…蛍光管用コネクタ                    ２…端子部材
３…ランプホルダー                      ４…ベースハウジング
５…スライダーハウジング                ６…蛍光管
６ａ…導線（端子）                      ７…回路基板（実装基板）
８…ホルダー                            １０…パネル
２０…接点形成部                        ２３…半円筒状受座
２４ａ，２４ｂ…舌状片                  ２５ａ，２５ｂ…側方凸条
２８…リップ部                          ３２ａ，３２ｂ…内方側壁
３３ａ，３３ｂ…外方側壁                ３４…内方壁
３５…外方壁                            ４２ａ，４２ｂ…内方縦長開口
４３ａ，４３ｂ…外方縦長開口            ４５ａ，４５ｂ…ガイド溝
５１ａ，５１ｂ…ガイド用側壁            ５２…端部壁
５４ａ，５４ｂ…楔片                    ５６ａ，５６ｂ…ロックアーム
５７ａ，５７ｂ…抜止めアーム            ６１ａ，６１ｂ…ロック用突起
６２ａ，６２ｂ…抜止め突起
【図１】
2008027591.tif 000003
【図２】
2008027591.tif 000004
【図３】
2008027591.tif 000005
【図４】
2008027591.tif 000006
【図５】
2008027591.tif 000007
【図６】
2008027591.tif 000008
【図７−１】
2008027591.tif 000009
【図７−２】
2008027591.tif 000010
【図８】
2008027591.tif 000011
【図９】
2008027591.tif 000012
【図１０】
2008027591.tif 000013
【図１１】
2008027591.tif 000014
【図１２】
2008027591.tif 000015
【図１３】
2008027591.tif 000016